(57)【特許請求の範囲】
【請求項１】
画面上の位置を指示する入力装置からの入力に基いて処理を実行し、表示装置に処理結果を表示する情報処理装置の表示制御装置において、
前記入力装置が無線によるリモコンか否かを識別する入力装置識別手段を備え、該入力装置識別手段によって前記入力装置が無線によるリモコンからの入力であると識別されたときはカーソルを拡大して表示させ、そうでないときは拡大せずに表示させる制御手段を有することを特徴とする表示制御装置。
【請求項２】
画面上の位置を指示する入力装置からの入力に基いて処理を実行し、表示装置に処理結果を表示する情報処理装置の表示制御装置において、
前記入力装置が無線によるリモコンか否かを識別する入力装置識別手段を備え、該入力装置識別手段によって前記入力装置が無線によるリモコンからの入力であると識別されたときはカーソルの形状、色調、明度のいずれかを変化させて強調表示させ、そうでないときは強調せずに表示させる制御手段を有することを特徴とする表示制御装置。
【請求項３】
前記制御手段は、前記入力装置により指定された画面上の位置に表示されるウインドウ画面を拡大することを特徴とする請求項１または２に記載の表示制御装置。
【発明の詳細な説明】
【０００１】
【発明の属する技術分野】
本発明はパーソナルコンピュータ等の情報処理装置における表示制御装置に関し、さらに詳しくは、入力装置の種類に応じてカーソルやウィンドウ等を拡大、縮小あるいは強調して表示する表示制御装置に関する。
【０００２】
【従来の技術】
一般に、パーソナルコンピュータ等の情報処理装置では、文字入力等に使用するキーボードや位置指示等に使用するマウスが入力装置として利用されている。
これらの入力装置は、本体装置とはケーブルを介して有線で接続されることが多い。しかし、入力装置と本体装置を有線で接続すると、ケーブルが入力装置の操作性を損う、ケーブルの長さにより入力装置の操作範囲が制限される、本体装置に接続する装置が増えると配線が煩雑になるといった問題が発生する。これらの問題を解決するために、入力装置を本体装置と光または電波を用いて無線で接続するワイヤレスキーボード及びワイヤレスマウスが開発された。
【０００３】
最近では、パソコンの表示装置にテレビを使用するなど、パソコンとテレビの表示装置を共用する場合があり、このような場合には無線入力装置は便利である。
また、パソコンにテレビ機能が内蔵されたものもあり、従来、テレビはリモコンで操作することがほとんどであることから、パソコンをリモコン感覚で操作できるように、パソコンに無線入力装置を利用するケースが増えている。例えば特開平１０−１２４２２２号公報には、テレビ等のリモコン機能とパソコンのキーボード、マウスの機能を一体化してワイヤレス化したキーボードリモコンが提案されている。このような入力装置を利用すると、パソコンを本体装置から離れた場所から操作することが可能である。
【０００４】
【発明が解決しようとする課題】
パソコン等の情報処理装置の入力装置にワイヤレスマウス等の無線の入力装置を使用する場合、本体装置の傍で作業を行うならば、有線の入力装置同様に操作することができる。また、ワイヤレス化の一目的であったように、ケーブルがなくなることで操作性が向上する。しかし、特開平１０−１２４２２２号公報のキーボードリモコンのような入力装置を使用する場合、テレビのリモコンを操作するときのように、ある程度本体装置から離れた場所から操作することが考えられる。このように本体装置から離れて操作する場合、入力位置を示すカーソルが表示装置の傍らで操作する場合よりも小さく見え、見えにくくなってしまう。またカーソルに限らず文字情報等、表示情報全体が小さく見え、見えにくくなってしまう。
本発明の目的は、通常、表示装置から離れて操作される無線で接続されるリモコン入力装置（以下単にリモコンと言う。）を用いて操作するときの距離による相対的な視認性の低下に対し、視認性、操作性を損わないカーソルやウィンドウ等の表示制御装置を提供することにある。
【０００５】
【課題を解決するための手段】
本発明の表示制御装置は、上述した目的を達成するためのものであって、その第１の技術手段は、画面上の位置を指示する入力装置からの入力に基いて処理を実行し、表示装置に処理結果を表示する情報処理装置の表示制御装置において、前記入力装置が無線によるリモコン装置か否かを識別する入力装置識別手段を備え、該入力装置識別手段によって前記入力装置が無線によるリモコンからの入力であると識別されたときはカーソルを拡大して表示させ、そうでないときは拡大せずに表示させる制御手段を有する表示制御装置を特徴とする。
【０００６】
第２の技術手段は、画面上の位置を指示する入力装置からの入力に基いて処理を実行し、表示装置に処理結果を表示する情報処理装置の表示制御装置において、前記入力装置が無線によるリモコン装置か否かを識別する入力装置識別手段を備え、該入力装置識別手段によって前記入力装置が無線によるリモコンからの入力であると識別されたときはカーソルの形状、色調、明度のいずれかを変化させて強調表示させ、そうでないときは強調せずに表示させる制御手段を有する表示制御装置を特徴とする。
【０００７】
第３の技術手段は、第１または第２の技術手段において、前記制御手段は、前記入力装置により指定された画面上の位置に表示されるウインドウ画面を拡大することを特徴とする。
【０００９】
【発明の実施の形態】
以下、本発明の実施の形態を図１〜図７に示す実施例に基いて説明する。
（第１実施例）
図１は、本発明の第１実施例である表示制御装置の構成の概略を示すブロック図である。
図１において、情報処理装置の表示制御装置は、有線で接続されたマウス１、有線で接続されたキーボード２、無線で接続されるリモコン３、入力制御や表示制御を行う制御装置４、表示用メモリ５、表示装置６等により構成されている。
【００１０】
図２は、本発明の第１実施例である表示制御装置の制御装置４により実現される機能を示すフローチャートである。
制御装置４は一般的にはＣＰＵからなり、前述のマウス、キーボード、リモコンの各入力装置とのインタフェースを備え、入力信号があればそれに伴う処理を実行する。
以下、図２のフローチャートを参照して、制御装置４により実現される機能について説明する。
まず、制御装置４は入力装置からの信号を監視して入力があれば検出する（ステップ１０）。ここで、制御装置４の前記各入力装置とのインタフェースは、入力がマウス１、キーボード２、リモコン３のいずれの入力装置からのものであるかを識別する入力装置識別手段として機能する。
入力は各入力装置とのインタフェースを介して入力されるので、入力がマウス１またはキーボード２からのものであれば無線による入力ではないものと認識され、リモコン３からのものであれば無線による入力装置からと認識される（ステップ１１）。
【００１１】
ステップ１１において、入力が検出されて入力装置が無線入力装置と判断された場合、その入力が指定された操作によるものかを判断する（ステップ１２）。
ここでの指定された操作とは、表示を伴う操作として説明する。入力が指定された操作を指示する入力であれば、制御装置４はその操作指示に伴う処理を実行し、続いてその処理によって表示されるイメージを拡大する処理を実行する。このように制御装置４はイメージ拡大処理手段としても機能する。
拡大処理されたイメージデータは制御装置４により表示用メモリ５に書き込まれる。表示用メモリ５は表示装置６の画面を構成する画素データを格納するもので、表示装置６に表示用メモリ５に書き込まれた拡大処理されたイメージが表示される（ステップ１３）。
ステップ１２において、指定された操作を指示する入力でなければ、制御装置４はその操作指示に伴う処理を実行する（ステップ１４）。
【００１２】
ステップ１１において、入力が検出されて入力装置が有線入力装置と判断された場合、その入力が指定された操作を指示するものかを判断する（ステップ１５）。指定された操作を指示する入力であれば、制御装置４はその操作指示に伴う処理を実行し、通常の大きさのイメージデータが表示用メモリ５に書き込まれ、表示装置６にそのイメージが表示される（ステップ１６）。指定された操作を指示する入力でなければ、制御装置４はその操作指示に伴う処理を実行する（ステップ１７）。
以上のように、入力装置がリモコンによる無線で接続されたもの否かを識別することで、通常表示と拡大表示を切り替えることにより、リモコンを用いた操作における距離による相対的な視認性の低下を解消する。
【００１５】
また、ステップ１３においては、イメージの通常表示を拡大表示するイメージ拡大処理を実行したが、イメージ拡大処理に代えて、イメージの大きさ、形状、色調、明度等を変化させることによりイメージを強調するイメージ強調処理を実行するようにすることもできる。
この場合には、ステップ１２での指定された操作とは、イメージ強調を伴う操作ということであり、指定された操作を指示する入力であれば、制御装置４はステップ１３において、その操作指示に伴う処理を実行し、その処理によって表示されるイメージを強調する処理を実行する。
【００１６】
図３は、本発明を地図の表示に適用した場合の表示制御装置の制御装置４により実現される機能を示すフローチャートである。
図４は、地図アプリケーションにおいて、地図を通常表示で表示した場合の表示画面を示す図であり、図５〜図７は図４に示す表示画面をポインティングデバイスによって変更して表示した場合の表示画面を示す図である。表示装置６の表示画面７上に地図が表示されていて、ポインティングデバイスをクリック操作すると、カーソル８位置の座標付近の情報（住所や付近の店情報等）を図６に示すようにポップアップウィンドウ９に表示する、あるいはカーソル８が指示するオブジェクト（道路や建物等）の情報をポップアップウィンドウ９に表示するシステムである。
【００１７】
このシステムにおいて、リモコンにより、カーソル移動操作が行われると、図５に示すようにカーソル８を拡大して、拡大カーソル８ａを表示する。地図上でボタンクリック操作が行われると、カーソル位置の指示する地点の情報を図６に示すようにポップアップウィンドウ９に表示するが、このとき、ポップアップウィンドウ９ａは図７に示すように拡大処理されて表示される。地図情報を表示したポップアップウィンドウ９ａ上でボタンクリック操作が行われると、この情報ウィンドウ９ａが消去される。
【００１８】
マウス１、キーボード２等のポインティングデバイスにより、カーソル移動操作が行われると、カーソル８を通常の大きさで表示する。地図上でボタンクリック操作が行われると、カーソル位置の指示する地点の情報をポップアップウィンドウ９に表示する。地図情報を表示したポップアップウィンドウ９上でボタンクリック操作が行われると、この情報ウィンドウ９が消去される。
【００１９】
図３は、本発明をこのような地図アプリケーションに適用した場合に、制御装置４により実現される機能を示すフローチャートである。
まず、入力装置からの入力があれば検出する（ステップ２０）。続いて、その入力がリモコンの無線によるものか否かを識別する（ステップ２１）。
無線によるリモコンからの入力が検出された場合、その入力がカーソル移動操作かを判断する（ステップ２２）。カーソル移動動作であれば、カーソル移動処理を実行し、またその際、カーソルイメージを拡大し、図５に示すように拡大されたカーソルイメージ８ａを表示する（ステップ２３）。
【００２０】
ステップ２２において、カーソル移動操作でなければ、その入力が地図上でのボタンクリック操作かを判断する（ステップ２４）。地図上でのボタンクリック操作であれば、カーソル位置の指示する地点の情報をデータベースより読み出す処理をし、図７に示すように拡大処理されたポップアップウィンドウ９ａを表示する（ステップ２５）。地図上でのボタンクリック操作でなければ、その入力が情報ポップアップウィンドウ上でのボタンクリック操作かを判断する（ステップ２６）。情報ポップアップウィンドウ上でのボタンクリック操作であれば、そのポップアップウィンドウを閉じる処理を実行する（ステップ２７）。
【００２１】
ステップ２１において、リモコン以外の入力装置からの入力と識別れた場合、その入力がカーソル移動操作かを判断する（ステップ２８）。カーソル移動動作であれば、カーソル移動処理を実行し、図４に示すように通常の大きさのカーソルイメージを表示する（ステップ２９）。ポインティングデバイスのカーソル移動操作でなければ、その入力が地図上でのボタンクリック操作かを判断する（ステップ３０）。地図上でのボタンクリック操作であれば、カーソル位置の指示する地点の情報をデータベースより読み出す処理をし、図６に示すように通常の大きさのポップアップウィンドウ９を表示する（ステップ３１）。地図上でのボタンクリック操作でなければ、その入力が情報ポップアップウィンドウ上でのボタンクリック操作かを判断する（ステップ３２）。情報ポップアップウィンドウ上でのボタンクリック操作であれば、そのポップアップウィンドウを閉じる処理を実行する（ステップ３３）。
以上の手順により、このようなアプリケーションにおいて、入力装置の識別による通常表示と拡大表示の切り替えが実行される。
【００２３】
【発明の効果】
本発明の表示制御装置によれば、リモコンのように無線で接続される入力装置を用いた入力操作においても、入力装置と表示画面間の距離が増大することによる相対的な視認性の低下に対し、カーソルやウィンドウ等の表示の視認性を損わせることのない画面を表示することができる。それにより、実質的に操作可能な入力装置と本体装置との距離が長くなり、操作可能範囲が広くなる。
【図面の簡単な説明】
【図１】本発明の実施例の表示制御装置の構成を示すブロック図である。
【図２】本発明の第１実施例の表示制御装置の機能を示すフローチャートである。
【図３】本発明の第２実施例の表示制御装置の機能を示すフローチャートである。
【図４】表示画面上で通常表示されたカーソルイメージを示す図である。
【図５】表示画面上で拡大表示されたカーソルイメージを示す図である。
【図６】表示画面上で通常表示されたポップアップウィンドウを示す図である。
【図７】表示画面上で拡大表示されたポップアップウィンドウを示す図である。
【符号の説明】
１…有線で接続されたマウス、２…有線で接続されたキーボード、３…無線で接続されたリモコン、４…制御装置、５…表示用メモリ、６…表示装置、７…地図アプリケーションの表示画面、８…通常の大きさのカーソル、８ａ…拡大されたカーソル、９…通常の大きさのポップアップウィンドウ、９ａ…拡大されたポップアップウィンドウ。
【図１】
0004761603.tif 000002
【図２】
0004761603.tif 000003
【図３】
0004761603.tif 000004
【図４】
0004761603.tif 000005
【図５】
0004761603.tif 000006
【図６】
0004761603.tif 000007
【図７】
0004761603.tif 000008